(57)【要約】【課題】背骨矯正の施術者が、患者の背骨の矯正を少ない力で行える手段を提供する。【解決手段】施術用椅子１は、椅子本体１１、右側踏み台１２Ｒ、左側踏み台１２Ｌ、右側調整機構１３Ｒ、左側調整機構１３Ｌ、コントローラ１４を備える。患者Ａは座面１１１の上に座り、左右の足を右側踏み台１２Ｒ及び左側踏み台１２Ｌの上に置く。施術者Ｘは、コントローラ１４に対する操作を行い、右側踏み台１２Ｒ及び左側踏み台１２Ｌの上面の高さ方向における位置を変化させながら、患者Ａの背後から患者Ａの背部に対する触診及び視診を行い、患者Ａの背骨の矯正を少ない力で行える姿勢を探索する。患者Ａの背骨の矯正を少ない力で行える姿勢が見つかれば、その姿勢の患者Ａに対し、施術者Ｘは背後から背骨の矯正のための施術を行う。【選択図】図１
2020110563.tif 000002
【特許請求の範囲】
【請求項１】
背骨矯正の施術者によって背後から背骨の矯正を受ける患者が座るための施術用椅子であって、
前記患者が臀部を載せ置くための座面と、
前記座面に臀部を載せ置いた状態の前記患者の右足の足裏が上面に接した状態で前記患者の右足を下方から支持する右側踏み台と、
前記座面に臀部を載せ置いた状態の前記患者の左足の足裏が上面に接した状態で前記患者の左足を下方から支持する左側踏み台と、
前記施術者の操作に応じて、前記右側踏み台の上面の高さ方向における位置と、前記左側踏み台の上面の高さ方向における位置とを調整する調整機構と
を備える施術用椅子。
【請求項２】
前記座面に臀部を載せ置いた状態の前記患者の背部に対し前記施術者が行う触診及び視診の少なくとも一方を妨げる構造物を有さない
請求項１に記載の施術用椅子。
【請求項３】
前記調整機構は、電力により前記右側踏み台と前記左側踏み台とを移動させる駆動力を生じる駆動装置を有し、
前記施術者の操作を受け付け、当該操作に応じて前記駆動装置に運転の開始及び終了を指示するコントローラを備える
請求項１又は２に記載の施術用椅子。
【請求項４】
前記調整機構は、前記施術者の操作に応じて、前記右側踏み台の上面の高さ方向における位置の移動の方向と、前記左側踏み台の上面の高さ方向における位置の移動の方向とを変更する
請求項１乃至３のいずれか１項に記載の施術用椅子。
【請求項５】
前記調整機構は、前記右側踏み台の上面の高さ方向における位置と、前記左側踏み台の上面の高さ方向における位置とを個別に調整する
請求項１乃至４のいずれか１項に記載の施術用椅子。
【請求項６】
前記右側踏み台と前記左側踏み台の各々は、前記調整機構により上面の高さ方向における位置が調整されるとき、上面が上に移動する程、水平方向における位置が前記座面に近づく
請求項１乃至５のいずれか１項に記載の施術用椅子。
【発明の詳細な説明】
【技術分野】
【０００１】
本発明は、背骨矯正の施術者が用いる器具に関する。
【背景技術】
【０００２】
例えば、特許文献１には、治療段階を終えた疾病や外傷の後遺症をもつ人に対して、身体機能の減退を防止し、また、その回復を図るために、その人の左右の脚部を上下方向に往復運動させる医療器具が記載されている。
【０００３】
また、特許文献２には、体力の衰えた高齢者や怪我・病気のために通常歩行が困難な人に対して、筋力強化や機能回復を図るために、その人が車椅子に乗った状態で足を上下・前後・左右の少なくとも一つの方向に動かす機能を備えた車椅子が記載されている。
【先行技術文献】
【特許文献】
【０００４】
【特許文献１】特開平１０−１７９６５９号公報
【特許文献２】特開２０１１−１７７３４０号公報
【発明の概要】
【発明が解決しようとする課題】
【０００５】
背骨、骨盤等の矯正の施術者として長年の経験を有する本願発明者は、椅子に座った患者の足を股関節周りに移動させながら患者の背部に対する触診及び視診の少なくとも一方を行うことで、患者の背骨を少ない力で矯正できる患者の姿勢を見つけ出せることを発見した。なお、背骨の矯正において要する力が少ない程、望ましい位置に背骨が矯正されやすく、望ましい結果が得られる。以下、本願において「少ない力で矯正できる患者の姿勢」という場合、患者の足の位置がその姿勢からずれると、その患者の背骨の矯正に要する力が増える状態の姿勢を意味する。
【０００６】
上記の状況を鑑みて、本発明は、背骨矯正の施術者が、患者の背骨の矯正を少ない力で行える手段を提供することを目的とする。
【課題を解決するための手段】
【０００７】
上記の課題を解決するため、本発明は、背骨矯正の施術者によって背後から背骨の矯正を受ける患者が座るための施術用椅子であって、前記患者が臀部を載せ置くための座面と、前記座面に臀部を載せ置いた状態の前記患者の右足の足裏が上面に接した状態で前記患者の右足を下方から支持する右側踏み台と、前記座面に臀部を載せ置いた状態の前記患者の左足の足裏が上面に接した状態で前記患者の左足を下方から支持する左側踏み台と、前記施術者の操作に応じて、前記右側踏み台の上面の高さ方向における位置と、前記左側踏み台の上面の高さ方向における位置とを調整する調整機構とを備える施術用椅子を、第１の態様として提案する。
【０００８】
第１の態様に係る施術用椅子によれば、背骨矯正の施術者は、施術用椅子に対し操作を行い、患者の足を上下方向に移動させながら患者の背部に対し触診及び視診の少なくとも一方を行い、患者の背骨を少ない力で矯正できる患者の姿勢を発見し、その姿勢を保っている患者に対し背骨を矯正するための施術を少ない力で行うことができる。
【０００９】
また、本発明は、上記の第１の態様に係る施術用椅子であって、前記座面に臀部を載せ置いた状態の前記患者の背部に対し前記施術者が行う触診及び視診の少なくとも一方を妨げる構造物を有さない、という構成の施術用椅子を、第２の態様として提案する。
【００１０】
第２の態様に係る施術用椅子によれば、施術者は患者の背骨を少ない力で矯正できる患者の姿勢を快適な状態で発見することができる。また、第２の態様に係る施術用椅子によれば、施術者は、そのように発見した姿勢の患者の背部に対し、快適な状態で、背骨を矯正するための施術を少ない力で行うことができる。
【００１１】
また、本発明は、上記の第１又は第２の態様に係る施術用椅子であって、前記調整機構は、電力により前記右側踏み台と前記左側踏み台とを移動させる駆動力を生じる駆動装置を有し、前記施術者の操作を受け付け、当該操作に応じて前記駆動装置に運転の開始及び終了を指示するコントローラを備える、という構成の施術用椅子を、第３の態様として提案する。
【００１２】
第３の態様に係る施術用椅子によれば、施術者は右側踏み台及び左側踏み台の上面の高さ方向における位置を調整するために自分の力を用いる必要がないため、患者の背骨を少ない力で矯正できる患者の姿勢の発見のための触診又は視診に集中できる。
【００１３】
また、本発明は、上記の第１乃至第３のいずれかの態様に係る施術用椅子であって、前記調整機構は、前記施術者の操作に応じて、前記右側踏み台の上面の高さ方向における位置の移動の方向と、前記左側踏み台の上面の高さ方向における位置の移動の方向とを変更する、という構成の施術用椅子を、第４の態様として提案する。
【００１４】
第４の態様に係る施術用椅子によれば、施術者は、例えば患者の足の位置を上昇又は下降させながら触診又は視診を行い、いったん、患者の姿勢が、背骨を少ない力で矯正できる姿勢になった後、その姿勢でなくなったことを察知した場合、足の位置を、それまでの移動方向と逆の方向に移動させて、患者の背骨を少ない力で矯正できる姿勢に戻すことができる。
【００１５】
また、本発明は、上記の第１乃至第４のいずれかの態様に係る施術用椅子であって、前記調整機構は、前記右側踏み台の上面の高さ方向における位置と、前記左側踏み台の上面の高さ方向における位置とを個別に調整する、という構成の施術用椅子を、第５の態様として提案する。
【００１６】
第５の態様に係る施術用椅子によれば、患者の背骨を少ない力で矯正できる姿勢における患者の左右の足の高さが異なる場合であっても、施術者はその姿勢を発見することができる。
【００１７】
また、本発明は、上記の第１乃至第５のいずれかの態様に係る施術用椅子であって、前記右側踏み台と前記左側踏み台の各々は、前記調整機構により上面の高さ方向における位置が調整されるとき、上面が上に移動する程、水平方向における位置が前記座面に近づく、という構成の施術用椅子を、第６の態様として提案する。
【００１８】
第６の態様に係る施術用椅子によれば、患者の足の高さ方向における位置が変化しても、患者は臀部が座面に接する位置を移動する必要がない。
【図面の簡単な説明】
【００１９】
【図１】一実施形態に係る施術用椅子を左側から見た図。
【図２】一実施形態に係る施術用椅子を前側から見た図。
【図３】一実施形態に係る施術用椅子が備える調整機構の構成を示した図。
【図４】一実施形態に係る施術用椅子が備えるコントローラの外観を示した図。
【図５】一変形例に係る施術用椅子を左側から見た図。
【図６】一変形例に係る施術用椅子を左側から見た図。
【発明を実施するための形態】
【００２０】
［実施形態］
以下に本発明の一実施形態に係る施術用椅子１を説明する。施術用椅子１は、患者がその上に座り、背骨矯正の施術者によって、背後から背骨の矯正を受けるために用いられる。
【００２１】
図１は、施術用椅子１を左側から見た図である。図１には、施術用椅子１に加え、施術用椅子１に座っている患者Ａと、患者Ａに対し施術を行う施術者Ｘも示されている。なお、本願における左右、上下、前後は、本願に係る施術用椅子に座った患者からみた左右、上下、前後を意味する。図２は、施術用椅子１を前側から見た図である。
【００２２】
施術用椅子１は、椅子本体１１、右側踏み台１２Ｒ、左側踏み台１２Ｌ、右側調整機構１３Ｒ、左側調整機構１３Ｌ、コントローラ１４を備える。
【００２３】
椅子本体１１は、床から所定の高さにおいて患者Ａが臀部を載せ置くための座面１１１を形成する構造物である。なお、図１においては、椅子本体１１は座板と、座板を下方から支持する４本の脚、すなわち、右前脚１１２Ｒ、左前脚１１２Ｌ、右後脚１１３Ｒ、左後脚１１３Ｌで構成されるが、椅子本体１１の構成はこれに限られない。例えば、椅子本体１１の脚が１本であってもよい。また、椅子本体１１の形状が、座板と脚の区別がない箱形状であってもよい。
【００２４】
以下、右前脚１１２Ｒと左前脚１１２Ｌを前脚１１２と総称する。
【００２５】
右側踏み台１２Ｒは椅子本体１１の前面の右側に、上面が概ね水平となるように配置され、上面に患者Ａの右足の足裏が接した状態で患者Ａの右足を下方から支持する構造物である。右側踏み台１２Ｒは右側調整機構１３Ｒにより上下方向に移動する。
【００２６】
左側踏み台１２Ｌは椅子本体１１の前面の左側に、上面が概ね水平となるように配置され、上面に患者Ａの左足の足裏が接した状態で患者Ａの左足を下方から支持する構造物である。左側踏み台１２Ｌは左側調整機構１３Ｌにより上下方向に移動する。
【００２７】
なお、本願における「右側足踏み台又は左側足踏み台に足裏が接する状態」とは、右側足踏み台又は左側足踏み台と足裏が直接接触する状態に加え、靴下やスリッパ等の履物を介して右側足踏み台又は左側足踏み台と足裏が接する状態も含む。
【００２８】
右側踏み台１２Ｒと左側踏み台１２Ｌは同じ構成を備える。従って、以下、右側踏み台１２Ｒと左側踏み台１２Ｌを区別しない場合、それらを踏み台１２と総称する。
【００２９】
右側調整機構１３Ｒは、椅子本体１１の右前脚１１２Ｒ内に配置され、コントローラ１４を用いた施術者Ｘの操作に応じて、右側踏み台１２Ｒを上昇又は下降し、右側踏み台１２Ｒの上面の高さ方向における位置を施術者Ｘが望む位置に調整し、その位置で右側踏み台１２Ｒを保持する機構である。
【００３０】
左側調整機構１３Ｌは、椅子本体１１の左前脚１１２Ｌ内に配置され、コントローラ１４を用いた施術者Ｘの操作に応じて、左側踏み台１２Ｌを上昇又は下降し、左側踏み台１２Ｌの上面の高さ方向における位置を施術者Ｘが望む位置に調整し、その位置で左側踏み台１２Ｌを保持する機構である。
【００３１】
右側調整機構１３Ｒと左側調整機構１３Ｌは同じ構成を備える。従って、以下、右側調整機構１３Ｒと左側調整機構１３Ｌを区別しない場合、それらを調整機構１３と総称する。
【００３２】
図３は、調整機構１３の構成を示した図である。図３においては、調整機構１３に加え、調整機構１３により上面の高さ方向における位置の調整が行われる踏み台１２と、調整機構１３を収容している前脚１１２も示されている。
【００３３】
調整機構１３は、ボールネジ１３１、軸受１３２、軸受１３３、ナット１３４、モータ１３５を備える。ボールネジ１３１は円柱状の部材であり、側面にナット１３４の中空部の側面に切られたネジと螺合するネジが切られている。軸受１３２と軸受１３３はボールネジ１３１を軸周りに回転自在に保持する部材である。なお、ボールネジ１３１の上下方向の位置は軸受１３２及び軸受１３３により固定されている。
【００３４】
ナット１３４はボールネジ１３１と螺合し、ボールネジ１３１の回転に伴い上下方向に移動する。例えば、ボールネジ１３１が上から見て時計回りに回転するとナット１３４は上昇し、ボールネジ１３１が上から見て反時計回りに回転するとナット１３４は下降する。ナット１３４には踏み台１２が取り付けられている。従って、ボールネジ１３１の軸周りの回転に伴い、ナット１３４を介して踏み台１２が上下方向に移動する。
【００３５】
なお、ボールネジ１３１の側面のうち、ネジが切られている領域は軸受１３２より概ねナット１３４の高さだけ下の位置から、軸受１３３より概ねナット１３４の高さだけ上の位置までの領域である。従って、ナット１３４はボールネジ１３１の上から見た時計回りの回転に伴い上昇し軸受１３２のすぐ下まで達した後は、さらにボールネジ１３１が回転してもその位置に留まる。また、ナット１３４はボールネジ１３１の上から見た反時計回りの回転に伴い下降し軸受１３３のすぐ上まで達した後は、さらにボールネジ１３１が回転してもその位置に留まる。
【００３６】
モータ１３５はボールネジ１３１を回転させることにより、踏み台１２を上下方向に移動させる駆動力を生じる駆動装置である。モータ１３５は図示せぬ電源ユニットから電力の供給を受けて運転し、ボールネジ１３１を回転させる。
【００３７】
図４は、コントローラ１４の外観を示した図である。コントローラ１４は、モータ１３５に電力を供給する図示せぬ電源ユニットに接続されており、電源ユニットがモータ１３５に供給する電力量と電力の極性を制御する。なお、コントローラ１４と電源ユニットは、信号線により有線接続されていてもよいし、コントローラ１４と電源ユニットが無線通信ユニットを有し、無線により通信接続されてもよい。
【００３８】
コントローラ１４は、電源スイッチ１４１、切替スイッチ１４２、上昇ボタン１４３、下降ボタン１４４、速度スライダー１４５を備える。なお、コントローラ１４が備えるこれらの操作子は、物理的な操作子であってもよいし、例えばタッチスクリーンに表示された仮想的な操作子であってもよい。
【００３９】
電源スイッチ１４１は、施術者Ｘが、電源ユニットとモータ１３５との間の電力供給経路の接続及び切断を行うための操作を受け付けるスイッチである。施術者Ｘにより電源スイッチ１４１がＯＮにされれば、電源ユニットとモータ１３５との間の電力供給経路が接続され、モータ１３５が運転可能な状態となる。また、施術者Ｘにより電源スイッチ１４１がＯＦＦにされれば、電源ユニットとモータ１３５との間の電力供給経路が切断され、モータ１３５が運転不可能な状態となる。
【００４０】
切替スイッチ１４２は、施術者Ｘが、上昇ボタン１４３又は下降ボタン１４４の操作により移動させる踏み台１２の対象を、右側踏み台１２Ｒのみ、左側踏み台１２Ｌのみ、それらの両方（連動）の間で切り替えるための操作を受け付けるスイッチである。施術者Ｘにより切替スイッチ１４２が「右」にされれば、右側踏み台１２Ｒのみが上下方向に移動可能な状態となる。施術者Ｘにより切替スイッチ１４２が「左」にされれば、左側踏み台１２Ｌのみが上下方向に移動可能な状態となる。施術者Ｘにより切替スイッチ１４２が「連動」にされれば、右側踏み台１２Ｒと左側踏み台１２Ｌが連動して上下方向に移動可能な状態となる。
【００４１】
上昇ボタン１４３は、施術者Ｘが、切替スイッチ１４２により選択されている踏み台１２を上昇させるための操作を受け付けるボタンである。上昇ボタン１４３が施術者Ｘにより押下されると、切替スイッチ１４２により選択されている踏み台１２に応じたモータ１３５が運転を開始し、対象の踏み台１２が上昇する。施術者Ｘが上昇ボタン１４３の押下を止めると、切替スイッチ１４２により選択されている踏み台１２に応じたモータ１３５が運転を終了し、対象の踏み台１２の上昇が止まる。
【００４２】
下降ボタン１４４は、施術者Ｘが、切替スイッチ１４２により選択されている踏み台１２を下降させるための操作を受け付けるボタンである。下降ボタン１４４が施術者Ｘにより押下されると、切替スイッチ１４２により選択されている踏み台１２に応じたモータ１３５が運転を開始し、対象の踏み台１２が下降する。施術者Ｘが下降ボタン１４４の押下を止めると、切替スイッチ１４２により選択されている踏み台１２に応じたモータ１３５が運転を終了し、対象の踏み台１２の下降が止まる。
【００４３】
速度スライダー１４５は、施術者Ｘが、上昇ボタン１４３又は下降ボタン１４４を押下している間の踏み台１２の移動速度を調整するための操作を受け付けるボタンである。速度スライダー１４５のノブの位置に応じた速度でモータ１３５がボールネジ１３１を回転し、踏み台１２がその回転の速度に応じた速度で上昇又は下降する。
【００４４】
上述した構成を備える施術用椅子１の使用方法を以下に述べる。まず、施術者Ｘはコントローラ１４の電源スイッチ１４１をＯＮにし、切替スイッチ１４２で「連動」を選択した後、下降ボタン１４４を長押しして、右側踏み台１２Ｒと左側踏み台１２Ｌを下限位置まで下降させた後、下降ボタン１４４から指を離す。
【００４５】
続いて、患者Ａは座面１１１の上に座り、右足を右側踏み台１２Ｒの上に、また、左足を左側踏み台１２Ｌの上に載せる。続いて、施術者Ｘは、コントローラ１４の速度スライダー１４５を必要に応じて右または左に移動し、右側踏み台１２Ｒと左側踏み台１２Ｌの移動速度を調整した後、患者Ａの背後に立ち、又は施術用椅子１とは異なる椅子に座って、患者Ａの背部に対する触診及び視診を開始する。その状態で、施術者Ｘは上昇ボタン１４３を押下し、右側踏み台１２Ｒ及び左側踏み台１２Ｌを上昇させながら、患者Ａの背骨を少ない力で矯正できる患者Ａの姿勢の発見を試みる。
【００４６】
施術者Ｘは、必要に応じて上昇ボタン１４３の押下を止めて下降ボタン１４４を押下し、右側踏み台１２Ｒ及び左側踏み台１２Ｌを下降させたり、再び上昇ボタン１４３を押下し、右側踏み台１２Ｒ及び左側踏み台１２Ｌを上昇させたりしながら、患者Ａの背骨を少ない力で矯正できる患者Ａの姿勢を探索する。
【００４７】
施術者Ｘは、患者Ａの背骨を少ない力で矯正できる患者Ａの姿勢を発見すると、続いて、切替スイッチ１４２を「右」に切り替えた後、上昇ボタン１４３又は下降ボタン１４４を押下して、右側踏み台１２Ｒのみを上昇又は下降させる。これにより、先に発見した姿勢よりもさらに少ない力で患者Ａの背骨を矯正できる姿勢を探索する。
【００４８】
上記の探索を終えると、施術者Ｘは、続いて、切替スイッチ１４２を「左」に切り替えた後、上昇ボタン１４３又は下降ボタン１４４を押下して、左側踏み台１２Ｌのみを上昇又は下降させる。これにより、先に発見した姿勢よりもさらに少ない力で患者Ａの背骨を矯正できる姿勢を探索する。なお、この例では右側踏み台１２Ｒの上昇又は下降による望ましい姿勢の探索を先に行い、続いて、左側踏み台１２Ｌの上昇又は下降による望ましい姿勢の探索を行うものとしたが、それらの順序が逆でもよい。
【００４９】
施術者Ｘは、上記の探索により患者Ａが背骨の矯正のための施術を受けるための望ましい姿勢を発見したら、コントローラ１４の電源スイッチ１４１をＯＦＦにして、その姿勢における右側踏み台１２Ｒ及び左側踏み台１２Ｌの位置を維持する。施術者Ｘは、その状態で患者Ａに対し背後から背骨の矯正のための施術を行う。
【００５０】
施術用椅子１によれば、施術者Ｘは患者Ａの背骨を少ない力で矯正できる患者Ａの姿勢を容易に発見できる。また、施術用椅子１によれば、患者Ａの姿勢が望ましい状態で保持されるため、施術者Ｘは患者Ａに対し少ない力で背骨を矯正するための施術を行うことができる。
【００５１】
［変形例］上述した実施形態に係る施術用椅子１は本発明の実施の一例であって、本発明の技術的思想に基づく限り、施術用椅子１は様々に変形されてよい。以下にそれらの変形の例を示す。
【００５２】
（１）上述した実施形態において、施術用椅子１の右側踏み台１２Ｒと左側踏み台１２Ｌは連動して上下に移動することも、それらが個別に上下に移動することもできる。これに代えて、右側踏み台１２Ｒと左側踏み台１２Ｌが常に連動して上下に移動してもよい。その場合、右側踏み台１２Ｒと左側踏み台１２Ｌが一体の構造物で構成されてもよい。また、その場合、施術用椅子１は右側調整機構１３Ｒと左側調整機構１３Ｌを個別に備える必要はなく、１つの調整機構１３を備えればよい。また、施術用椅子１は、右側踏み台１２Ｒと左側踏み台１２Ｌの各々に応じたモータ１３５を備える必要はない。
【００５３】
（２）上述した実施形態において、右側踏み台１２Ｒ及び左側踏み台１２Ｌの移動方向は概ね鉛直方向である。右側踏み台１２Ｒ及び左側踏み台１２Ｌの移動方向が、鉛直方向に対し傾斜した方向であってもよい。図５はこの変形例に係る施術用椅子１を左側から見た図である。図５（Ａ）及び（Ｂ）に示す施術用椅子１は、右側踏み台１２Ｒ及び左側踏み台１２Ｌの上面の高さ方向における位置が上に移動する程、それらの上面の水平方向における位置が座面１１１に近づく。ただし、図５（Ａ）の施術用椅子１においては、右側踏み台１２Ｒと左側踏み台１２Ｌの移動経路は直線であり、図５（Ｂ）の施術用椅子１においては、右側踏み台１２Ｒと左側踏み台１２Ｌの移動経路は湾曲（上に凸）している。
【００５４】
（３）上述した実施形態において、椅子本体１１の座面１１１は完全にフラットである。施術用椅子１は、座面１１１に臀部を載せ置いた状態の患者Ａの背部に対し施術者Ｘが触診及び視診の少なくとも一方を行い、患者Ａの背骨を矯正するための施術を少ない力で行える患者Ａの姿勢を探索した後、患者Ａがその姿勢を維持している状態で患者Ａに対し施術を行うための器具である。従って、本発明に係る施術用椅子は、上記の触診及び視診と、その後の施術を妨げる構造物（例えば、背もたれ等）を備えないことが望ましい。
【００５５】
しかしながら、その条件を満たす限り、座面１１１は完全にフラットである必要はない。例えば、座面１１１が、その上に座る患者の臀部の形状にフィットするように、凹凸を有していてもよい。図６は、そのような変形例に係る施術用椅子１を左側から見た図である。図６の施術用椅子１においては、座面１１１が後端に近づくにつれて上昇し、座面１１１の上に座る患者の臀部に沿うように湾曲（下に凸）している。図６の構成の施術用椅子１によれば、座面１１１の上に座る患者Ａが座面１１１から後方に滑り落ちにくい。
【００５６】
（４）上述した実施形態において、調整機構１３にはモータ１３５により軸周りに回転するボールネジ１３１とナット１３４の組み合わせによる方式が採用されている。調整機構１３の方式はこれに限られない。例えば、調整機構１３として、モータにより駆動される油圧ポンプによってシリンダ内に作動油を吐出し、または、シリンダから作動油を吸い込むことにより、シリンダからのピストンの突出量（ストローク）を変化させる油圧アクチュエータが採用されてもよい。また、調整機構１３として、モータにより回転するギアとそのギアによって上下動されるチェーンの組み合わせによる方式が採用されてもよい。
【００５７】
（５）上述した実施形態において、調整機構１３はモータに例示される駆動装置により駆動される。調整機構１３の駆動は駆動装置により行われなくてもよい。例えば、施術者Ｘが手でハンドルを回転させることによって発生させる駆動力が右側踏み台１２Ｒ及び左側踏み台１２Ｌの移動に用いられてもよい。
【００５８】
（６）上述した実施形態の説明のために用いた施術用椅子１の具体的な形状、部材の数、サイズ等は例示であって、様々に変更されてよい。
【産業上の利用可能性】
【００５９】
本発明に係る施術用椅子は、接骨院、整体院、矯正サロン等において利用され得る。
【符号の説明】
【００６０】
１…施術用椅子、１１…椅子本体、１２…踏み台、１３…調整機構、１４…コントローラ、１１１…座面、１１２…前脚、１３１…ボールネジ、１３２…軸受、１３３…軸受、１３４…ナット、１３５…モータ、１４１…電源スイッチ、１４２…切替スイッチ、１４３…上昇ボタン、１４４…下降ボタン、１４５…速度スライダー。
【図１】
2020110563.tif 000003
【図２】
2020110563.tif 000004
【図３】
2020110563.tif 000005
【図４】
2020110563.tif 000006
【図５】
2020110563.tif 000007
【図６】
2020110563.tif 000008
【手続補正書】
【提出日】令和1年11月9日(2019.11.9)
【手続補正１】
【補正対象書類名】特許請求の範囲
【補正対象項目名】全文
【補正方法】変更
【補正の内容】
【特許請求の範囲】
【請求項１】
患者の背後から手で前記患者の背部に力を加えて前記患者に背骨矯正の施術を行う施術者から当該施術を受ける前記患者が座るための施術用椅子であって、
前記患者が臀部を載せ置くための座面と、
前記座面に臀部を載せ置いた状態の前記患者の右足の足裏が上面に接した状態で前記患者の右足を下方から支持する右側踏み台と、
前記座面に臀部を載せ置いた状態の前記患者の左足の足裏が上面に接した状態で前記患者の左足を下方から支持する左側踏み台と、
前記施術者の操作に応じて、前記右側踏み台の上面の高さ方向における位置と、前記左側踏み台の上面の高さ方向における位置とを調整する調整機構と
を備え、
前記座面に臀部を載せ置いた状態の前記患者の背部に対し前記患者の背後にいる前記施術者が前記患者の背部に対し行う触診及び視診の少なくとも一方を妨げる構造物を有さない
施術用椅子。
【請求項２】
前記調整機構は、電力により前記右側踏み台と前記左側踏み台とを移動させる駆動力を生じる駆動装置を有し、
前記施術者の操作を受け付け、当該操作に応じて前記駆動装置に運転の開始及び終了を指示するコントローラを備える
請求項１に記載の施術用椅子。
【請求項３】
前記調整機構は、前記施術者の操作に応じて、前記右側踏み台の上面の高さ方向における位置の移動の方向と、前記左側踏み台の上面の高さ方向における位置の移動の方向とを変更する
請求項１又は２に記載の施術用椅子。
【請求項４】
前記調整機構は、前記右側踏み台の上面の高さ方向における位置と、前記左側踏み台の上面の高さ方向における位置とを個別に調整する
請求項１乃至３のいずれか１項に記載の施術用椅子。
【請求項５】
前記右側踏み台と前記左側踏み台の各々は、前記調整機構により上面の高さ方向における位置が調整されるとき、上面が上に移動する程、水平方向における位置が前記座面に近づく
請求項１乃至４のいずれか１項に記載の施術用椅子。
【手続補正２】
【補正対象書類名】明細書
【補正対象項目名】０００７
【補正方法】変更
【補正の内容】
【０００７】
上記の課題を解決するため、本発明は、患者の背後から手で前記患者の背部に力を加えて前記患者に背骨矯正の施術を行う施術者から当該施術を受ける前記患者が座るための施術用椅子であって、  前記患者が臀部を載せ置くための座面と、  前記座面に臀部を載せ置いた状態の前記患者の右足の足裏が上面に接した状態で前記患者の右足を下方から支持する右側踏み台と、  前記座面に臀部を載せ置いた状態の前記患者の左足の足裏が上面に接した状態で前記患者の左足を下方から支持する左側踏み台と、  前記施術者の操作に応じて、前記右側踏み台の上面の高さ方向における位置と、前記左側踏み台の上面の高さ方向における位置とを調整する調整機構と  を備え、  前記座面に臀部を載せ置いた状態の前記患者の背部に対し前記患者の背後にいる前記施術者が前記患者の背部に対し行う触診及び視診の少なくとも一方を妨げる構造物を有さない  施術用椅子を、第１の態様として提案する。
【手続補正３】
【補正対象書類名】明細書
【補正対象項目名】０００８
【補正方法】変更
【補正の内容】
【０００８】
第１の態様に係る施術用椅子によれば、背骨矯正の施術者は快適な状態で、施術用椅子に対し操作を行い、患者の足を上下方向に移動させながら患者の背部に対し触診及び視診の少なくとも一方を行い、患者の背骨を少ない力で矯正できる患者の姿勢を発見し、その姿勢を保っている患者に対し背骨を矯正するための施術を少ない力で行うことができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、本発明は、上記の第１の態様に係る施術用椅子であって、前記調整機構は、電力により前記右側踏み台と前記左側踏み台とを移動させる駆動力を生じる駆動装置を有し、前記施術者の操作を受け付け、当該操作に応じて前記駆動装置に運転の開始及び終了を指示するコントローラを備える、という構成の施術用椅子を、第２の態様として提案する。
【手続補正７】
【補正対象書類名】明細書
【補正対象項目名】００１２
【補正方法】変更
【補正の内容】
【００１２】
第２の態様に係る施術用椅子によれば、施術者は右側踏み台及び左側踏み台の上面の高さ方向における位置を調整するために自分の力を用いる必要がないため、患者の背骨を少ない力で矯正できる患者の姿勢の発見のための触診又は視診に集中できる。
【手続補正８】
【補正対象書類名】明細書
【補正対象項目名】００１３
【補正方法】変更
【補正の内容】
【００１３】
また、本発明は、上記の第１又は２の態様に係る施術用椅子であって、前記調整機構は、前記施術者の操作に応じて、前記右側踏み台の上面の高さ方向における位置の移動の方向と、前記左側踏み台の上面の高さ方向における位置の移動の方向とを変更する、という構成の施術用椅子を、第３の態様として提案する。
【手続補正９】
【補正対象書類名】明細書
【補正対象項目名】００１４
【補正方法】変更
【補正の内容】
【００１４】
第３の態様に係る施術用椅子によれば、施術者は、例えば患者の足の位置を上昇又は下降させながら触診又は視診を行い、いったん、患者の姿勢が、背骨を少ない力で矯正できる姿勢になった後、その姿勢でなくなったことを察知した場合、足の位置を、それまでの移動方向と逆の方向に移動させて、患者の背骨を少ない力で矯正できる姿勢に戻すことができる。
【手続補正１０】
【補正対象書類名】明細書
【補正対象項目名】００１５
【補正方法】変更
【補正の内容】
【００１５】
また、本発明は、上記の第１乃至第３のいずれかの態様に係る施術用椅子であって、前記調整機構は、前記右側踏み台の上面の高さ方向における位置と、前記左側踏み台の上面の高さ方向における位置とを個別に調整する、という構成の施術用椅子を、第４の態様として提案する。
【手続補正１１】
【補正対象書類名】明細書
【補正対象項目名】００１６
【補正方法】変更
【補正の内容】
【００１６】
第４の態様に係る施術用椅子によれば、患者の背骨を少ない力で矯正できる姿勢における患者の左右の足の高さが異なる場合であっても、施術者はその姿勢を発見することができる。
【手続補正１２】
【補正対象書類名】明細書
【補正対象項目名】００１７
【補正方法】変更
【補正の内容】
【００１７】
また、本発明は、上記の第１乃至第４のいずれかの態様に係る施術用椅子であって、前記右側踏み台と前記左側踏み台の各々は、前記調整機構により上面の高さ方向における位置が調整されるとき、上面が上に移動する程、水平方向における位置が前記座面に近づく、という構成の施術用椅子を、第５の態様として提案する。
【手続補正１３】
【補正対象書類名】明細書
【補正対象項目名】００１８
【補正方法】変更
【補正の内容】
【００１８】
第５の態様に係る施術用椅子によれば、患者の足の高さ方向における位置が変化しても、患者は臀部が座面に接する位置を移動する必要がない。